(57)【要約】【課題】能動消音装置を組み込んでも従来の室内の天井高さにも本体を設置することができることを目的とする。【解決手段】ファンユニット１４を天井裏２０に設置し能動消音装置１７とファンユニット１４とをダクト２１にて接続し、ファンユニット１４を天井裏２０に設置し能動消音装置１７とファンユニット１４とをダクト２１にて接続することにより、加熱調理器２に上方にはフードユニット１と能動消音装置１７のみで構成することとなり、能動消音装置１７を組み込んでもどんな室内の天井高さにもフードユニット１と能動消音装置１７とで構成される本体を室内に設置することができるレンジフードを得られる。【選択図】図１
2017180853.tif 000002
【特許請求の範囲】
【請求項１】
空気を吸い込む吸込口と吐出口とを有するフードユニットと、前記フードユニットの上方に両端が開口された矩形の筒状枠体４つを前記開口の方向に対し並列となるように構成された送風路を有し、その両端の開口の一方が前記吐出口と接続され前記送風路の内に能動消音装置と、吐出口と空気が流入する吸込口と、空気を屋外に排気する送風機を備えたファンユニットとで構成され、前記ファンユニットを天井裏に設置し前記能動消音装置と前記ファンユニットとをダクトにて接続することを特徴とするレンジフード。
【請求項２】
前記ファンユニットを、前記能動消音装置の真上の前記天井裏に設けたことを特徴とする請求項１に記載のレンジフード。
【発明の詳細な説明】
【技術分野】
【０００１】
本発明は、能動消音装置を組み込んだレンジフードに関するものである。
【背景技術】
【０００２】
従来、この種のレンジフードは、能動消音装置を組み込んだものが知られている（例えば、特許文献１参照）。
【０００３】
以下、そのレンジフードについて、図２を参照しながら説明する。
【０００４】
図２に示すように、レンジフード１０１に、通風路１０２の壁面１０３の開口１０４の外側の空間１０５に能動消音装置１０６を設けたレンジフードが知られている。
【先行技術文献】
【特許文献】
【０００５】
【特許文献１】特開２０１４−４３９９０号公報
【発明の概要】
【発明が解決しようとする課題】
【０００６】
このような従来のレンジフードにおいては、能動消音装置を組み込むと本体高さが従来より高くなるため室内の天井の高さによっては設置できない恐れがある、という課題を有していた。
【０００７】
そこで本発明は、上記従来の課題を解決するものであり、能動消音装置を組み込んでも従来の室内の天井高さにも本体を設置することができるレンジフードを提供することを目的とする。
【課題を解決するための手段】
【０００８】
そして、この目的を達成するために、本発明は、加熱調理器の上方に設置され、調理時に発生する油煙を含んだ空気を吸い込む吸込口と上方へ開口した吐出口とを有するフードユニットと、前記フードユニットの上方に両端が開口された矩形の４つの筒状枠体を前記開口の方向に対し並列となるように構成された送風路を有し、その両端の開口の一方が前記吐出口と接続され前記送風路の内にマイクとスピーカと制御基板とを有する能動消音装置を有し、屋外に連通した吐出口と前記能動消音装置の前記送風路内を通過した油煙を含んだ空気が流入する吸込口と、空気を屋外に排気する送風機を備えたファンユニットで構成され、前記ファンユニットを天井裏に設置し前記能動消音装置と前記ファンユニットとをダクトにて接続することとしたものであり、これにより所期の目的を達成するものである。
【発明の効果】
【０００９】
本発明によれば、加熱調理器の上方に設置され、調理時に発生する油煙を含んだ空気を吸い込む吸込口と上方へ開口した吐出口とを有するフードユニットと、前記フードユニットの上方に両端が開口された矩形の４つの筒状枠体を前記開口の方向に対し並列となるように構成された送風路を有し、その両端の開口の一方が前記吐出口と接続され前記送風路の内にマイクとスピーカと制御基板とを有する能動消音装置を有し、屋外に連通した吐出口と前記能動消音装置の前記送風路内を通過した油煙を含んだ空気が流入する吸込口と、空気を屋外に排気する送風機を備えたファンユニットで構成され、前記ファンユニットを天井裏に設置し前記能動消音装置と前記ファンユニットとをダクトにて接続する、という構成にしたことにより、ファンユニットを天井裏に設置し能動消音装置とファンユニットとをダクトにて接続し加熱調理器に上方にはフードユニットと能動消音装置のみで構成することとなるので、能動消音装置を組み込んでもどんな室内の天井高さにも本体を設置することができる、という効果を得ることができる。
【図面の簡単な説明】
【００１０】
【図１】本発明の実施の形態１のレンジフードの設置状態を示す図
【図２】従来のレンジフードを示す側断面図
【発明を実施するための形態】
【００１１】
本発明の請求項１記載のレンジフードは、加熱調理器の上方に設置され、調理時に発生する油煙を含んだ空気を吸い込む吸込口と上方へ開口した吐出口とを有するフードユニットと、前記フードユニットの上方に両端が開口された矩形の４つの筒状枠体を前記開口の方向に対し並列となるように構成された送風路を有し、その両端の開口の一方が前記吐出口と接続され前記送風路の内にマイクとスピーカと制御基板とを有する能動消音装置を有し、屋外に連通した吐出口と前記能動消音装置の前記送風路内を通過した油煙を含んだ空気が流入する吸込口と、空気を屋外に排気する送風機を備えたファンユニットで構成され、前記ファンユニットを天井裏に設置し前記能動消音装置と前記ファンユニットとをダクトにて接続する、という構成を有する。これにより、ファンユニットを天井裏に設置し能動消音装置とファンユニットとをダクトにて接続し加熱調理器に上方にはフードユニットと能動消音装置のみで構成することとなるので、能動消音装置を組み込んでもどんな室内の天井高さにも本体を設置することができる、という効果を奏する。
【００１２】
また、前記ファンユニットを、前記能動消音装置の真上の前記天井裏に設けた、という構成にしてもよい。これにより、ファンユニットからのダクトをほぼ最短の長さになる垂直の真上の天井裏の能動消音装置に接続することとなるので、ダクト抵抗を低減することができる、という効果を奏する。
【００１３】
以下、本発明の実施の形態について図面を参照しながら説明する。
【００１４】
（実施の形態１）
図１に示すように、フードユニット１は、例えばガスコンロである加熱調理器２の上方に設置され、調理時に発生する油煙３を含んだ空気を吸い込む下方に開口した逆お椀状の吸込口（図示せず）と、上方へ開口した吐出口（図示せず）とを有する。
【００１５】
そして、送風路１０は、フードユニット１の上方４に、両端５が開口６された矩形の方形状の筒状枠体７の４つを開口６の方向に対し横８あるいは縦９の方向に並列となるように構成された筒状枠体７を設けている。
【００１６】
そして、４つの筒状枠体７は、能動消音装置ボックス１１の内部に、例えば上下に開口６に接続される接続口１２を備えた保持板１３で保持されている。
【００１７】
そして、その保持板１３は、フードユニット１に接続される両端５の開口６の一方がフードユニット１の吐出口（図示せず）に接続されるように能動消音装置ボックス１１の内部に設ける。また、送風路１０の内には、マイク（図示せず）とスピーカ（図示せず）と制御基板（図示せず）とを有している。
【００１８】
そして、ファンユニット１４は、側面には屋外１５に連通した吐出口１６を設け、底面には能動消音装置１７の送風路１０内を通過した油煙を含んだ空気が流入する吸込口１８を設ける。また、ファンユニット１４の内部には、空気を屋外１５に排気するファンと電動機とで構成された送風機１９を備えている。
【００１９】
そして、ファンユニット１４は、天井裏２０に例えば吊り金具（図示せず）等で設置する。また、能動消音装置１７とファンユニット１４とは、ダクト２１を介して接続する。
【００２０】
この構成により、ファンユニット１４は、天井裏２０に設置し、能動消音装置１７とファンユニット１４とをダクト２１にて接続し、加熱調理器２の上方にはフードユニット１と能動消音装置１７のみで構成することとなるので、能動消音装置１７を組み込んでもどんな室内の天井高さにもフードユニット１と能動消音装置１７とで構成される本体を設置することができる。
【００２１】
また、ファンユニット１４は、能動消音装置１７の真上の天井裏２０に設ける。
【００２２】
この構成により、ダクト２１は、ファンユニット１４からをほぼ最短の長さになる能動消音装置ボックス１１の上面に対して垂直の真上の天井裏２０の能動消音装置１７に接続することとなるので、ダクト２１における曲げあるいはダクト長によるダクト抵抗を低減することができる。
【００２３】
なお、ファンユニット１４は、屋外１５に設置し、能動消音装置１７とファンユニット１４とを天井裏２０を介して屋外１５へ連通するダクト２１にて接続している構成でも良い。この構成により、ファンユニット１４を手の届く位置設置することができることとなるので、ファンユニット１４のメンテナンス性を向上することができる。
【産業上の利用可能性】
【００２４】
本発明にかかるレンジフードは、能動消音装置を組み込んでも従来の室内の天井高さにも本体を設置することができることを可能とするものであるので、換気空調設備に搭載する消音装置等としても有用である。
【符号の説明】
【００２５】
１    フードユニット
２    加熱調理器
３    油煙
４    上方
５    両端
６    開口
７    筒状枠体
８    横
９    縦
１０    送風路
１１    能動消音装置ボックス
１２    接続口
１３    保持板
１４    ファンユニット
１５    屋外
１６    吐出口
１７    能動消音装置
１８    吸込口
１９    送風機
２０    天井裏
２１    ダクト
【図１】
2017180853.tif 000003
【図２】
2017180853.tif 000004